(57)【要約】【課題】カードプリンタのカード挿入部に装着されるカード供給システムであって、カードに汚れやキズが付かないカード供給システムを提供する。【解決手段】カード供給システム１は、第１開口１２を有するカード包装容器１０と、第２開口２２を有するホルダ２０と、アダプタ３０とを備えている。アダプタ３０は第１開口１２と第２開口２２を下向きにした際、カード５０の落下を防ぐストッパ３４を有する。【選択図】図９
2018077781.tif 000002
【特許請求の範囲】
【請求項１】
カードプリンタのカード挿入部に装着されるカード供給システムにおいて、
積層された複数のカードを収納するとともに、一側に設けられた第１開口を有するカード包装容器と、
前記カード包装容器を収納するとともに、前記第１開口に対応して設けられた第２開口を有するホルダと、
前記ホルダの前記第２開口側に装着されるとともに、前記カード挿入部に連結されるアダプタとを備え、
前記アダプタは前記カード包装容器および前記ホルダを前記第１開口および前記第２開口を各々下向きにして前記アダプタに装着した際、カードを係止するストッパを有する、カード供給システム。
【請求項２】
前記ホルダは前記アダプタに対して、特定の装着方向を向いて装着される、請求項１記載のカード供給システム。
【請求項３】
前記カード包装容器と前記ホルダに、逆向き装着防止機構を設けた、請求項１または２記載のカード供給システム。
【請求項４】
前記カード包装容器の前記第１開口近傍に、前記カードを前記カード包装容器内部へ向かって弾性的に押圧する弾性押圧機構を設けた、請求項１乃至３のいずれか１項に記載のカード供給システム。
【請求項５】
前記カード包装容器内のうち、前記第１開口と反対側の底部に錘を配置した、請求項１乃至４のいずれか１項に記載のカード供給システム。
【発明の詳細な説明】
【技術分野】
【０００１】
本発明は、偽造、変造防止等の安全性（セキュリティ）が要求される個人情報等を記憶するＩＣカードを製造するカードプリンタのカード挿入部に装着されるカード供給システムに関する。
【背景技術】
【０００２】
身分証明書カード（ＩＤカード）やクレジットカードとして、近年ＩＣチップを内蔵したＩＣカードが普及し始めている。
【０００３】
このようなＩＣカードは、印刷前のカードに対してカードプリンタを用いて印刷を施すことにより得られる。この場合、まず印刷前のカードをカード包装容器に収納しておき、次にカード包装容器内からカードをホルダ内に移載する。その後カードが収納されたホルダをカードプリンタのカード挿入部に装着し、ホルダからカードを順次カードプリンタ側へ供給することにより、このカードプリンタによってカードに印刷を施している。
【先行技術文献】
【特許文献】
【０００４】
【特許文献１】特開２００５−３３９４２９号公報
【発明の開示】
【発明が解決しようとする課題】
【０００５】
上述のように従来のカードプリンタにおいては、カード包装容器内のカードをホルダに移載し、このホルダをカードプリンタのカード挿入部に装着するため、移載中にカードにゴミ、汚れが付着することがあり、カード品質の低下を招き、さらにカード包装容器内のカードを移載する作業が繁雑で有り、作業効率が低下している。
【０００６】
本発明はこのような点を考慮してなされたものであり、ＩＣカードにゴミ、汚れが付着することなく高品質のカードを提供でき、かつ作業効率を大幅に向上させることができるカード供給システムを提供することを目的とする。
【課題を解決するための手段】
【０００７】
本発明は、カードプリンタのカード挿入部に装着されるカード供給システムにおいて、積層された複数のカードを収納するとともに、一側に設けられた第１開口を有するカード包装容器と、前記カード包装容器を収納するとともに、前記第１開口に対応して設けられた第２開口を有するホルダと、前記ホルダの前記第２開口側に装着されるとともに、前記カード挿入部に連結されるアダプタとを備え、前記アダプタは前記カード包装容器および前記ホルダを前記第１開口および前記第２開口を各々下向きにして前記アダプタに装着した際、カードを係止するストッパを有する、カード供給システムである。
【０００８】
本発明は、前記ホルダは前記アダプタに対して、特定の装着方向を向いて装着される、カード供給システムである。
【０００９】
本発明は、前記カード包装容器と前記ホルダに、逆向き装着防止機能を設けた、カード供給システムである。
【００１０】
本発明は、前記カード包装容器の前記第１開口近傍に、前記カードを前記カード包装容器内部へ向かって弾性的に押圧する弾性押圧機構を設けた、カード供給システムである。
【００１１】
本発明は、前記カード包装容器内のうち、前記第１開口と反対側の底部に錘を配置した、カード供給システムである。
【発明の効果】
【００１２】
以上のように本発明によれば、カードに対してゴミ、汚れが付着することはなく、さらにカード包装容器内のカードをホルダに移載する必要がないため、作業効率を向上させることができる。
【図面の簡単な説明】
【００１３】
【図１Ａ】図１Ａは第１の実施の形態によるカード包装容器とホルダを示す図。
【図１Ｂ】図１Ｂは第１の実施の形態によるカード包装容器とホルダを示す図。
【図１Ｃ】図１Ｃは第１の実施の形態によるカード包装容器とホルダを示す図。
【図１Ｄ】図１Ｄは第１の実施の形態によるカード包装容器とホルダを示す図。
【図２Ａ】図２Ａは第２の実施の形態によるカード包装容器とホルダを示す図。
【図２Ｂ】図２Ｂは第２の実施の形態によるカード包装容器とホルダを示す図。
【図２Ｃ】図２Ｃは第２の実施の形態によるカード包装容器とホルダを示す図。
【図２Ｄ】図２Ｄは第２の実施の形態によるカード包装容器とホルダを示す図。
【図３Ａ】図３Ａは第３の実施の形態によるカード包装容器とホルダを示す図。
【図３Ｂ】図３Ｂは第３の実施の形態によるカード包装容器とホルダを示す図。
【図３Ｃ】図３Ｃは第３の実施の形態によるカード包装容器とホルダを示す図。
【図３Ｄ】図３Ｄは第３の実施の形態によるカード包装容器とホルダを示す図。
【図４Ａ】図４Ａは第４の実施の形態によるカード包装容器とホルダを示す図。
【図４Ｂ】図４Ｂは第４の実施の形態によるカード包装容器とホルダを示す図。
【図４Ｃ】図４Ｃは第４の実施の形態によるカード包装容器とホルダを示す図。
【図４Ｄ】図４Ｄは第４の実施の形態によるカード包装容器とホルダを示す図。
【図５Ａ】図５Ａは第５の実施の形態によるカード包装容器とホルダを示す図。
【図５Ｂ】図５Ｂは第５の実施の形態によるカード包装容器とホルダを示す図。
【図５Ｃ】図５Ｃは第５の実施の形態によるカード包装容器とホルダを示す図。
【図５Ｄ】図５Ｄは第５の実施の形態によるカード包装容器とホルダを示す図。
【図６Ａ】図６Ａは第６の実施の形態によるカード包装容器とホルダを示す図。
【図６Ｂ】図６Ｂは第６の実施の形態によるカード包装容器とホルダを示す図。
【図６Ｃ】図６Ｃは第６の実施の形態によるカード包装容器とホルダを示す図。
【図６Ｄ】図６Ｄは第６の実施の形態によるカード包装容器とホルダを示す図。
【図７Ａ】図７Ａは第７の実施の形態によるカード包装容器とホルダを示す図。
【図７Ｂ】図７Ｂは第７の実施の形態によるカード包装容器とホルダを示す図。
【図７Ｃ】図７Ｃは第７の実施の形態によるカード包装容器とホルダを示す図。
【図８】図８は本発明によるカード供給システムを示す概略図。
【図９】図９はカード供給システムをカードプリンタのカード挿入部に装着した図。
【図１０Ａ】図１０Ａはカード包装容器とホルダの形状を示す図。
【図１０Ｂ】図１０Ｂはカード包装容器とホルダの形状を示す図。
【図１１】図１１はホルダをアダプタに装着する状態を示す図。
【図１２】図１２はホルダをアダプタに装着する状態を示す図。
【図１３】図１３はカード包装容器をアダプタに正しい向きで装着する状態を示す図。
【図１４】図１４はカード包装容器をアダプタに逆向きで装着する状態を示す図。
【図１５Ａ】図１５Ａはホルダに糊代部に引掛る爪を設けた状態を示す図。
【図１５Ｂ】図１５Ｂはホルダの爪を示す拡大図。
【図１６Ａ】図１６Ａは弾性押圧フラップを示す図。
【図１６Ｂ】図１６Ｂは弾性押圧フラップを示す図。
【図１７Ａ】図１７Ａは弾性押圧フラップを示す図。
【図１７Ｂ】図１７Ｂは弾性押圧フラップを示す図。
【図１８Ａ】図１８Ａは弾性押圧フラップを示す図。
【図１８Ｂ】図１８Ｂは弾性押圧フラップを示す図。
【図１９Ａ】図１９Ａは弾性押圧フラップを示す図。
【図１９Ｂ】図１９Ｂは弾性押圧フラップを示す図。
【図２０】図２０は弾性押圧フラップを示す図。
【図２１】図２１はホルダの変形例を示す図。
【図２２】図２２はホルダの変形例を示す図。
【図２３】図２３はホルダの変形例を示す図。
【図２４】図２４はカードプリンタを示す概略図。
【発明の実施の形態】
【００１４】
＜第１の実施の形態＞
以下、図１Ａ乃至図１Ｄ、図８乃至図９、および図１０Ａ乃至図１５により本発明の第１の実施の形態について説明する。はじめに図２４により、本発明によるカード供給システムが組込まれるカード作成装置としてのカードプリンタについて述べる。
【００１５】
図２４に示すように、ＩＣカードの作成装置としてのカードプリンタ５１は、上方に配置されたカード挿入部５２と、情報記録部５５とを有し、カードプリンタ５１の下方位置に、透明保護層付与部７０が配置されている。
【００１６】
カード挿入部５２には、例えば、図１で作成されたカード使用者の個人情報を書き込むために予め枚葉状にカットされた複数枚のカード５０を収納した本発明によるカード供給システム１が装着される。この場合、カード供給システム１内において、カード５０が顔写真を記録する面を上に向けてストックされている。この例では、カード５０は支持体と受像層からなり、このカード５０は１枚ずつカード供給システム１から所定のタイミングで自動供給される。
【００１７】
情報記録部５５はこの順に配置されたイエローリボンカセット５６ａ、マゼンタリボンカセット５６ｂ、シアンリボンカセット５６ｃを備え、それぞれのカセット５６ａ，５６ｂ，５６ｃは対応する記録ヘッド５７ａ，５７ｂ，５７ｃを有する。カードプリンタ５１において、イエローリボン、マゼンタリボン、シアンリボン等の熱転写シートによる熱転写で、カード５０が移動されている間に、その受像層の所定領域にカード使用者の顔写真等の諧調を有する画像領域が記録される。
【００１８】
また、情報記録部５５はさらに、各カセット５６ａ，５６ｂ，５６ｃの下流側に設けられた文字リボンカセット５８と、記録ヘッド５９とを有し、文字リボン等の熱転写シートによる熱転写で、その氏名やカード発行日等の認証識別情報が記録され、画像記録層が形成される。
【００１９】
透明保護層付与部７０では、転写箔カセット７１が配置され、この転写箔カセット７１に対応して熱転写ヘッド７２が配置されている。そしてこの透明保護層付与部７０において、カード５０上に透明保護転写層が設けられる。
【００２０】
次にカードプリンタ５１のカード挿入部５２に装着されるカード供給システム１について説明する。
【００２１】
カード供給システム１は図８および図９に示すように、積層された複数のカード５０を収納するとともに一側に第１開口１２が形成された容器本体１１を有するカード包装容器１０と、カード包装容器１０を収納するとともに第１開口１２に対応して設けられた第２開口２２を含むホルダ本体２１を有するホルダ２０と、ホルダ２０の第２開口２２側に装着されるとともに、カードプリンタ５１のカード挿入部５２に連結されるアダプタ３０とを備えている。
【００２２】
このうちホルダ２０は上述のように第２開口２２を含むホルダ本体２１を有し、ホルダ本体２１の側面には、後述する容器本体１１の側面に設けられた、カード５０の品種、ロット等を示す表示部１１Ａを外方に現わすための窓２１ａが形成されている。
【００２３】
また、ホルダ本体２１の第２開口２２周縁には取付フランジ２３が設けられている。さらにアダプタ３０には、ホルダ２０の取付フランジ２３が係合される前方係合部３２と、側方係合部３３とが設けられている。そしてホルダ２０の取付フランジ２３をアダプタ３０表面の側方係合部３３に係合させ、この側方係合部３３に沿って取付フランジ２３を前方係合部３２側まで摺動させることにより、取付フランジ２３を前方係合部３２に係合させることができる（図１１および図１２参照）。
【００２４】
またアダプタ３０には、前方係合部３２および側方係合部３３の反対側に、カード包装容器１０、ホルダ２０およびアダプタ３０を引繰り返してカード挿入部５２に装着した際、カード包装容器１０内のカード５０が落下することを防止するストッパ３４が設けられている。そしてこのストッパ３４の両側（図９の紙面に直交する方向の両側）はカードを排出させる排出口が形成されている。またアダプタ３０には、ストッパ３４側に、アダプタ３０をカード挿入部５２に装着した場合にカード挿入部５２に堅固に係止することができる係止突起３５が設けられている。
【００２５】
なお、上述したホルダ２０およびアダプタ３０は、いずれも金属製、例えばステンレス製となっている。またホルダ２０の内部形状は、容器本体１１の外部形状と略同一であってもよいが（図１０Ａ参照）、開口部を除きホルダ２０の内部形状を容器本体１１の外部形状より大きくとることにより、ホルダ２０内へ容器本体１１をスムーズに挿着することができる（図１０Ｂ参照）。
【００２６】
またカード包装容器１０は、図１Ａに示すように、複数のカード５０を収納するとともに、一側に第１開口１２が形成された容器本体１１を有し、容器本体１１の第１開口１２には上蓋１３と、サイドフラップ１４とが設けられている。さらに容器本体１１の側面には、収納されたカード５０の品種、ロットなどを示す表示部１１Ａが設けられ、この表示部１１Ａは外方からホルダ２０の窓２１ａを介して確認することができる。
【００２７】
このような構成からなるカード包装容器１０は、全体として透明容器、好ましくは樹脂容器、より好ましくはプラスチック製となっており、カード包装容器１０の外方から内部に収納されたカード５０を確認することができる（図１Ａ）。
【００２８】
次に図１Ａ〜図１Ｄにより、カード供給システムの組立て方法について述べる。
【００２９】
まず図１Ａに示すように、空のカード包装容器１０を準備し、このカード包装容器１０内に複数のカード５０を収納する（図１Ｂ参照）。このとき、容器本体１１の第１開口１２は、サイドフラップ１４と上蓋１３とにより覆われている。また容器本体１１の底部には、カード５０の下方に予め錘５０Ａが配置されている。
【００３０】
次に図１Ｃに示すように、ホルダ２０内にカード包装容器１０を収納し、カード包装容器１０の第１開口１２を覆う上蓋１３とサイドフラップ１４を開く。
【００３１】
次に図１Ｄに示すように、ホルダ２０の取付フランジ２３上に、上蓋１３とサイドフラップ１４を拡げる。
【００３２】
次に図１１に示すように、カード包装容器１０が収納されたホルダ２０を、アダプタ３０に装着する。この場合、ホルダ２０の取付フランジ２３をアダプタ３０の側方係合部３３に係合させ、取付フランジ２３をアダプタ３０上で前方係合部３２まで摺動させ、取付フランジ２３を側方係合部３３と前方係合部３２に係合させることにより、ホルダ２０がアダプタ３０に装着される。
【００３３】
このようにしてカード包装容器１０とホルダ２０とアダプタ３０とからなるカード供給システム１が得られる。このようにして得られたカード供給システム１はカード包装容器１０の第１開口１２およびホルダ２０の第２開口２２を下向きにして（カードプリンタ５１のカード挿入部５２側に向けて）カード挿入部５２に装着され、カード供給システム１は係止突起３５によりカード挿入部５２に堅固に固定される。またカード包装容器１０内では、錘５０Ａによりカード５０が下方へ押圧され、カード包装容器１０内のカード５０はカード挿入部５２から一枚ずつカードプリンタ５１側へ排出される。
【００３４】
この間、ホルダ２０はアダプタ３０に対して特定装着方向を向いて正しく装着されている（図１１参照）。すなわちアダプタ３０に対してホルダ２０が特定の装着方向と逆の方向を向いて装着される場合、カード包装容器１０の上蓋１３が前方係合部３２と干渉するためホルダ２０の取付フランジ２３をアダプタ３０上で前方係合部３２まで摺動させることはできない（図１２参照）。
【００３５】
これに対してホルダ２０をアダプタ３０に対して正しい特定の装着方向を向いて装着される場合、カード包装容器１０の上蓋１３が前方係合部３２に当接することなく、ホルダ２０の取付フランジ２３をアダプタ３０上で前方係合部３２まで摺動させて、ホルダ２０を正しい特定の装着方向で装着することができる（図１１参照）。
【００３６】
ところでカード包装容器１０の容器本体１１は、一般的に、プラスチックシート(図示せず)を準備し、このプラスチックシートを折り畳んで容器状に構成し、プラスチックシートの端部を接着することにより得られる。この場合、プラスチックシートの端部には接着によって糊代部１５が形成される。カード５０を装填供給し易くするため、この糊代部１５は容器外側に突出するよう形成される。この場合、ホルダ２０側に糊代部１５が嵌り込む凹部２５を形成することにより、カード包装容器１０がホルダ２０内に逆向きに装着されることを防止できる（図１３参照）。
【００３７】
すなわち、ホルダ２０に対してカード包装容器１０が逆向きに装着される場合、カード包装容器１０の糊代部１５がホルダ２０内面に当接してホルダ２０にカード包装容器１０を装着することはできないが（図１４参照）、ホルダ２０に対してカード包装容器１０を正しい特定の装着方向に装着した場合、容器本体１１の糊代部１５がホルダ２０側の凹部２５内に嵌り込んで、カード包装容器１０を正しい特定の装着方向を向いて確実に装着することができる。あるいは、図１５Ａおよび図１５Ｂに示すように、ホルダ２０内面に、糊代部１５に引掛る爪２６を設けて、誤った方向での糊代部１５の挿入を防止してもよい。
【００３８】
なお、図１３乃至図１５Ｂにおいて、カード包装容器１０およびホルダ２０は装着方向の向きを示すため、糊代部１５と凹部２５を示すが、便宜上、他の構成は取除いて示してある。
【００３９】
＜第２の実施の形態＞
以下、図２Ａ乃至図２Ｄを参照して本発明の第２の実施の形態について説明する。
【００４０】
第２の実施の形態は、カード包装容器１０の構成が異なるのみであり、他の構成は上述した第１の実施の形態と略同一である。図２Ａ乃至図２Ｄに示す第２の実施の形態において、上述した第１の実施の形態と同一部分には同一符号を付して詳細な説明は省略する。
【００４１】
図２Ａ乃至図２Ｄに示すように、カード包装容器１０は、複数のカード５０を収納するとともに、一側に第１開口１２が形成された容器本体１１を有し、容器本体１１の第１開口１２には上蓋１３が設けられ、上蓋１３にサイドフラップ１４が取付けられている。さらに容器本体１１の側面には、収納されたカード５０の品種、ロットなどを示す表示部１１Ａが設けられ、この表示部１１Ａは外方からホルダ２０の窓２１ａを介して確認することができる。
【００４２】
このような構成からなるカード包装容器１０は、全体として透明容器、好ましくは樹脂容器、より好ましくはプラスチック製となっており、カード包装容器１０の外方から内部に収納されたカード５０を確認することができる（図２Ａ）。
【００４３】
次に図２乃至図２Ｄにより、カード供給システムの組立て方法について述べる。
【００４４】
まず図２Ａに示すように、空のカード包装容器１０を準備し、このカード包装容器１０内に複数のカード５０を収納する（図２Ｂ参照）。このとき、容器本体１１の第１開口１２は、サイドフラップ１４と上蓋１３とにより覆われている。また容器本体１１の底部には、カード５０の下方に予め錘５０Ａが配置されている。
【００４５】
次に図２Ｃに示すように、ホルダ２０内にカード包装容器１０を収納し、カード包装容器１０の第１開口１２を覆う上蓋１３とサイドフラップ１４を開く。
【００４６】
次に図２Ｄに示すように、ホルダ２０の取付フランジ２３上に、上蓋１３とサイドフラップ１４を拡げる。
【００４７】
次に図１１に示すように、カード包装容器１０が収納されたホルダ２０を、アダプタ３０に装着する。この場合、ホルダ２０の取付フランジ２３をアダプタ３０の側方係合部３３に係合させ、取付フランジ２３をアダプタ３０上で前方係合部３２まで摺動させ、取付フランジ２３を側方係合部３３と前方係合部３２に係合させることにより、ホルダ２０がアダプタ３０に装着される。
【００４８】
このようにしてカード包装容器１０とホルダ２０とアダプタ３０とからなるカード供給システム１が得られる。このようにして得られたカード供給システム１はカード包装容器１０の第１開口１２およびホルダ２０の第２開口２２を下向きにしてカードプリンタ５１のカード挿入部５２に装着され、カード供給システム１は係止突起３５によりカード挿入部５２に堅固に固定される。
【００４９】
＜第３の実施の形態＞
以下、図３Ａ乃至図３Ｄを参照して本発明の第３の実施の形態について説明する。
【００５０】
第３の実施の形態は、カード包装容器１０の構成が異なるのみであり、他の構成は上述した第１の実施の形態と略同一である。図３Ａ乃至図３Ｄに示す第３の実施の形態において、上述した第１の実施の形態と同一部分には同一符号を付して詳細な説明は省略する。
【００５１】
図３Ａ乃至図３Ｄに示すように、カード包装容器１０は、複数のカード５０を収納するとともに、一側に第１開口１２が形成された容器本体１１を有し、容器本体１１の第１開口１２には上蓋１３が設けられ、上蓋１３にサイドフラップ１４が取付けられている。さらに容器本体１１の側面には、収納されたカード５０の品種、ロットなどを示す表示部１１Ａが設けられ、この表示部１１Ａは外方からホルダ２０の窓２１ａを介して確認することができる。
【００５２】
このような構成からなるカード包装容器１０は、全体として透明容器、好ましくは樹脂容器、より好ましくはプラスチック製となっており、カード包装容器１０の外方から内部に収納されたカード５０を確認することができる（図３Ａ）。
【００５３】
次に図３Ａ乃至図３Ｄにより、カード供給システムの組立て方法について述べる。
【００５４】
まず図３Ａに示すように、空のカード包装容器１０を準備し、このカード包装容器１０内に複数のカード５０を収納する（図３Ｂ参照）。このとき、容器本体１１の第１開口１２は、サイドフラップ１４と上蓋１３とにより覆われている。また容器本体１１の底部には、カード５０の下方に予め錘５０Ａが配置されている。
【００５５】
ところで図３Ａおよび図３Ｂに示すように、上蓋１３には容器本体１１内のカード５０を内部下方へ弾性的に押圧する弾性押圧フラップ（弾性押圧機構）１６が設けられている。
【００５６】
この弾性押圧フラップ１６は、カード包装容器１０の容器本体１１内にカード５０を収納した後、このカード包装容器１０を搬送する際、容器本体１１内におけるカード５０の振動を吸収して、カード５０にゴミが発生したり、キズが付くことを防止するものである。すなわち、一般にカード５０には厚み公差があり、容器本体１１の上方には厚み公差×枚数に相関する長さのバッファ空間１１ａを設ける必要がある（図１６Ａおよび図１６Ｂ参照。この様にこの容器本体１１内上方には必ずバッファ空間を設ける必要があるため、カード包装容器１０の搬送中にカード５０が振動してカード５０にゴミが発生したり、キズが付くことも考えられるが、本実施の形態によれば、弾性押圧フラップ１６を設けることにより、搬送時のカード５０の振動を吸収して、カード５０にゴミが発生したり、キズが付くことを未然に防止することができる。
【００５７】
次に図３Ｃに示すように、ホルダ２０内にカード包装容器１０を収納し、カード包装容器１０の第１開口１２を覆う上蓋１３とサイドフラップ１４を開く。
【００５８】
次に図３Ｄに示すように、ホルダ２０の取付フランジ２３上に、上蓋１３とサイドフラップ１４を拡げる。
【００５９】
次に図１１に示すように、カード包装容器１０が収納されたホルダ２０を、アダプタ３０に装着する。この場合、ホルダ２０の取付フランジ２３をアダプタ３０の側方係合部３３に係合させ、取付フランジ２３をアダプタ３０上で前方係合部３２まで摺動させ、取付フランジ２３を側方係合部３３と前方係合部３２に係合させることにより、ホルダ２０がアダプタ３０に装着される。
【００６０】
このようにしてカード包装容器１０とホルダ２０とアダプタ３０とからなるカード供給システム１が得られる。このようにして得られたカード供給システム１はカード包装容器１０の第１開口１２およびホルダ２０の第２開口２２を下向きにしてカードプリンタ５１のカード挿入部５２に装着され、カード供給システム１は係止突起３５によりカード挿入部５２に堅固に固定される。
【００６１】
＜第４の実施の形態＞
以下、図４Ａ乃至図４Ｄを参照して本発明の第４の実施の形態について説明する。
【００６２】
第４の実施の形態は、カード包装容器１０の構成が異なるのみであり、他の構成は上述した第１の実施の形態と略同一である。図４Ａ乃至図４Ｄに示す第４の実施の形態において、上述した第１の実施の形態と同一部分には同一符号を付して詳細な説明は省略する。
【００６３】
図４Ａ乃至図４Ｄに示すように、カード包装容器１０は、複数のカード５０を収納するとともに、一側に第１開口１２が形成された容器本体１１を有し、容器本体１１の第１開口１２には上蓋１３と、前面フラップ１７とが設けられている。さらに容器本体１１の側面には、収納されたカード５０の品種、ロットなどを示す表示部１１Ａが設けられ、この表示部１１Ａは外方からホルダ２０の窓２１ａを介して確認することができる。
【００６４】
このような構成からなるカード包装容器１０は、全体として透明容器、好ましくは樹脂容器、より好ましくはプラスチック製となっており、カード包装容器１０の外方から内部に収納されたカード５０を確認することができる（図４Ａ）。また上蓋１３の両側には、弾性押圧フラップ（弾性押圧機構）１６が取付けられている。
【００６５】
次に図４Ａ乃至図４Ｄにより、カード供給システムの組立て方法について述べる。
【００６６】
まず図４Ａに示すように、空のカード包装容器１０を準備し、このカード包装容器１０内に複数のカード５０を収納する（図４Ｂ参照）。このとき、容器本体１１の第１開口１２は、前面フラップ１７と上蓋１３とにより覆われている。また容器本体１１の底部には、カード５０の下方に予め錘５０Ａが配置されている。
【００６７】
次に図４Ｃに示すように、ホルダ２０内にカード包装容器１０を収納し、カード包装容器１０の第１開口１２を覆う上蓋１３と前面フラップ１７を開く。
【００６８】
次に図４Ｄに示すように、ホルダ２０の取付フランジ２３上に、上蓋１３と前面フラップ１７を拡げる。
【００６９】
次に図１１に示すように、カード包装容器１０が収納されたホルダ２０を、アダプタ３０に装着する。この場合、ホルダ２０の取付フランジ２３をアダプタ３０の側方係合部３３に係合させ、取付フランジ２３をアダプタ３０上で前方係合部３２まで摺動させ、取付フランジ２３を側方係合部３３と前方係合部３２に係合させることにより、ホルダ２０がアダプタ３０に装着される。
【００７０】
このようにしてカード包装容器１０とホルダ２０とアダプタ３０とからなるカード供給システム１が得られる。このようにして得られたカード供給システム１はカード包装容器１０の第１開口１２およびホルダ２０の第２開口２２を下向きにしてカードプリンタ５１のカード挿入部５２に装着され、カード供給システム１は係止突起３５によりカード挿入部５２に堅固に固定される。
【００７１】
＜第５の実施の形態＞
以下、図５Ａ乃至図５Ｄを参照して本発明の第５の実施の形態について説明する。
【００７２】
第５の実施の形態は、カード包装容器１０の構成が異なるのみであり、他の構成は上述した第１の実施の形態と略同一である。図５Ａ乃至図５Ｄに示す第５の実施の形態において、上述した第１の実施の形態と同一部分には同一符号を付して詳細な説明は省略する。
【００７３】
図５Ａ乃至図５Ｄに示すように、カード包装容器１０は、複数のカード５０を収納するとともに、一側に第１開口１２が形成された容器本体１１を有し、容器本体１１の第１開口１２には上蓋１３が設けられ、上蓋１３にはサイドフラップ１４が取付けられている。さらに容器本体１１の側面には、収納されたカード５０の品種、ロットなどを示す表示部１１Ａが設けられ、この表示部１１Ａは外方からホルダ２０の窓２１ａを介して確認することができる。
【００７４】
このような構成からなるカード包装容器１０は、全体として透明容器、好ましくは樹脂容器、より好ましくはプラスチック製となっており、カード包装容器１０の外方から内部に収納されたカード５０を確認することができる（図５Ａ）。
【００７５】
次に図５Ａ乃至図５Ｄにより、カード供給システムの組立て方法について述べる。
【００７６】
まず図５Ａに示すように、空のカード包装容器１０を準備し、このカード包装容器１０内に複数のカード５０を収納する（図５Ｂ参照）。このとき、容器本体１１の第１開口１２は、サイドフラップ１４と上蓋１３とにより覆われている。また容器本体１１の底部には、カード５０の下方に予め錘５０Ａが配置されている。
【００７７】
また、図５Ａおよび図５Ｂに示すように、カード包装容器１０の容器本体１１の第１開口１２には、上蓋１３に対向する位置に弾性押圧フラップ１６が取付けられている。
【００７８】
この弾性押圧フラップ１６は、容器本体１１の第１開口１２周縁に上蓋１３に対向して設けられ、容器本体１１内において弾性押圧フラップ１６の形状を変えることにより、容器本体１１内のカード５０の厚みが種々変化し容器本体１１内上方のバッファ空間１１ａの大きさが変化してもカード５０の振動を確実に吸収することができる。
【００７９】
以下弾性押圧フラップ１６の挙動について、図１６Ａ乃至図１９Ｂにより説明する。
【００８０】
まず図１６Ａおよび図１６Ｂに示すように、容器本体１１の第１開口１２周縁に、上蓋１３に対向して弾性押圧フラップ１６が取付けられている。弾性押圧フラップ１６は容器本体１１内上方のバッファ空間１１ａ内においてコ字状に形成されている。カード５０の厚みが薄い場合、バッファ空間１１ａが大きくなり、弾性押圧フラップ１６は容器本体１１の第１開口１２から下方へ降下して最上層のカード５０まで達し、カード５０に沿って延びた後、容器本体１１の第１開口１２に向かって上昇してその先端１６ａが上蓋１３に達する。このようにして弾性押圧フラップ１６はバッファ空間１１ａ内全域に拡がる（図１６Ａ参照）。
【００８１】
他方、カード５０の厚みが厚い場合、バッファ空間１１ａは小さくなり、弾性押圧フラップ１６はコ字状に形成された先端１６ａが上蓋１３に沿った位置に移動し、残り２辺がカードを押さえるように変形する。このようにして弾性押圧フラップ１６はバッファ空間１１ａ内全域に拡がる（図１６Ｂ参照）。
【００８２】
あるいは弾性押圧フラップ１６を容器本体１１内上方のバッファ空間１１ａにおいてかまぼこ型に形成してもよい。バッファ空間１１ａが大きい場合、弾性押圧フラップ１６の先端１６ａは上蓋１３の略中央部に止まる（図１７Ａ参照）。
【００８３】
他方、バッファ空間１１ａが小さい場合、弾性押圧フラップ１６はカードとの接触面を増大させながら変形する。（図１７Ｂ参照）。
【００８４】
あるいは、弾性押圧フラップ１６を容器本体１１内上方のバッファ空間１１ａにおいてかまぼこ型に形成するとともに、弾性押圧フラップ１６を上蓋１３に設けられたスリット１３ａから外方へ延ばしてもよい。バッファ空間１１ａが大きい場合、弾性押圧フラップ１６は上蓋１３のスリット１３ａから外方へ延びて上蓋１３外面の略中央部に止まる。このとき、弾性押圧フラップ１６の先端１６ａ側は固着テープ１８により上蓋１３に固着される（図１８Ａ参照）。
【００８５】
他方、バッファ空間１１ａが小さい場合、弾性押圧フラップ１６は上蓋１３のスリット１３ａから外方へ延びて更に上蓋１３外面に沿って弾性押圧フラップ１６の取付側まで達する。弾性押圧フラップ１６の先端１６ａ側は固着テープ１８により上蓋１３に固着される（図１８Ｂ参照）。
【００８６】
あるいは図１９Ａおよび図１９Ｂに示すように、弾性押圧フラップ１６を容器本体１１内上方のバッファ空間１１ａにおいて、アコーディオン型に形成してもよい。バッファ空間１１ａが大きい場合、弾性押圧フラップ１６は最上層のカード５０から上蓋１３まで蛇腹状に長い距離に渡って延びる（図１９Ａ参照）。
【００８７】
他方、バッファ空間１１ａが小さい場合、弾性押圧フラップ１６は最上層のカード５０から上蓋１３まで短い距離だけ延びている（図１９Ｂ参照）。
【００８８】
ところで図１６Ａ乃至図１９Ｂに示す実施の形態において、容器本体１１の第１開口１２周縁に上蓋１３に対向して弾性押圧フラップ１６が設けられているが、この弾性押圧フラップ１６はカード５０を収納したカード包装容器１０の搬送中、全体として容器本体１１に取付けられてカード５０の振動を吸収している。カード５０が収納されたカード包装容器１０をホルダ２０内に収納した後、弾性押圧フラップ１６を易開封部（マイクロミシン目等）１６ｄを介して破断し、固定側部分１６ｂと、破断側部分１６ｃとに分離してもよい。このように弾性押圧フラップ１６を易開封部（マイクロミシン目等）１６ｄを介して破断することにより、カード包装容器１０が収納されたホルダ２０をアダプタ３０に装着する際、弾性押圧フラップ１６が邪魔にならず、容易にホルダ２０をアダプタ３０に装着することができる。
【００８９】
＜第６の実施の形態＞
以下、図６Ａ乃至図６Ｄを参照して本発明の第６の実施の形態について説明する。
【００９０】
第６の実施の形態は、カード包装容器１０の構成が異なるのみであり、他の構成は上述した第１の実施の形態と略同一である。図６Ａ乃至図６Ｄに示す第６の実施の形態において、上述した第１の実施の形態と同一部分には同一符号を付して詳細な説明は省略する。
【００９１】
図６Ａ乃至図６Ｄに示すように、カード包装容器１０は、複数のカード５０を収納するとともに、一側に第１開口１２が形成された容器本体１１を有し、容器本体１１の第１開口１２には上蓋１３が設けられ、上蓋１３にサイドフラップ１４が取付けられている。さらに容器本体１１の側面には、収納されたカード５０の品種、ロットなどを示す表示部１１Ａが設けられ、この表示部１１Ａは外方からホルダ２０の窓２１ａを介して確認することができる。
【００９２】
このような構成からなるカード包装容器１０は、全体として透明容器、好ましくは樹脂容器、より好ましくはプラスチック製となっており、カード包装容器１０の外方から内部に収納されたカード５０を確認することができる（図６Ａ）。
【００９３】
次に図６Ａ乃至図６Ｄにより、カード供給システムの組立て方法について述べる。
【００９４】
まず図６Ａに示すように、空のカード包装容器１０を準備し、このカード包装容器１０内に複数のカード５０を収納する（図６Ｂ参照）。このとき、容器本体１１の第１開口１２は、サイドフラップ１４と上蓋１３とにより覆われている。また容器本体１１の底部には、カード５０の下方に予め錘５０Ａが配置されている。
【００９５】
また容器本体１１の上方には、容器本体１１内のカード５０を下方へ向かって弾性的に押圧する弾性押圧ブロック（弾性押圧機構）１９が配置される。
【００９６】
この弾性押圧ブロック１９は容器本体１１と別体に設けられたブロックであり、容器本体１１内上方のバッファ空間１１ａを埋めて、カード包装容器１０を搬送する際のカード５０の振動を吸収するものである。
【００９７】
次に図６Ｃに示すように、ホルダ２０内にカード包装容器１０を収納し、カード包装容器１０の第１開口１２を覆う上蓋１３とサイドフラップ１４を開く。その後容器本体１１内から弾性押圧ブロック１９が取出される。
【００９８】
次に図６Ｄに示すように、ホルダ２０の取付フランジ２３上に、上蓋１３とサイドフラップ１４を拡げる。
【００９９】
次に図１１に示すように、カード包装容器１０が収納されたホルダ２０を、アダプタ３０に装着する。この場合、ホルダ２０の取付フランジ２３をアダプタ３０の側方係合部３３に係合させ、取付フランジ２３をアダプタ３０上で前方係合部３２まで摺動させ、取付フランジ２３を側方係合部３３と前方係合部３２に係合させることにより、ホルダ２０がアダプタ３０に装着される。
【０１００】
このようにしてカード包装容器１０とホルダ２０とアダプタ３０とからなるカード供給システム１が得られる。このようにして得られたカード供給システム１はカード包装容器１０の第１開口１２およびホルダ２０の第２開口２２を下向きにしてカードプリンタ５１のカード挿入部５２に装着され、カード供給システム１は係止突起３５によりカード挿入部５２に堅固に固定される。
【０１０１】
＜第７の実施の形態＞
以下、図７Ａ乃至図７Ｃを参照して本発明の第７の実施の形態について説明する。
【０１０２】
第７の実施の形態は、カード包装容器１０の構成が異なるのみであり、他の構成は上述した第１の実施の形態と略同一である。図７Ａ乃至図７Ｃに示す第７の実施の形態において、上述した第１の実施の形態と同一部分には同一符号を付して詳細な説明は省略する。
【０１０３】
図７Ａ乃至図７Ｃに示すように、カード包装容器１０は、複数のカード５０を収納するとともに、一側に第１開口１２が形成された容器本体１１を有し、容器本体１１の第１開口１２には上蓋１３が設けられ、上蓋１３にサイドフラップ１４が取付けられている。さらに容器本体１１の側面には、収納されたカード５０の品種、ロットなどを示す表示部１１Ａが設けられ、この表示部１１Ａは外方からホルダ２０の窓２１ａを介して確認することができる。
【０１０４】
このような構成からなるカード包装容器１０は、全体として透明容器、好ましくは樹脂容器、より好ましくはプラスチック製となっており、カード包装容器１０の外方から内部に収納されたカード５０を確認することができる（図７Ａ）。
【０１０５】
次に図７Ａ乃至図７Ｃにより、カード供給システムの組立て方法について述べる。
【０１０６】
まず図７Ａに示すように、空のカード包装容器１０を準備し、このカード包装容器１０内に複数のカード５０を収納する。このとき、容器本体１１の第１開口１２は、サイドフラップ１４と上蓋１３とにより覆われている。また容器本体１１の底部には、カード５０の下方に予め錘５０Ａが配置されている。
【０１０７】
また容器本体１１の上方には、容器本体１１内のカード５０を下方へ向かって弾性的に押圧するとともに柔軟性をもつ弾性押圧体（弾性押圧機構）１９Ａが配置される。
【０１０８】
この弾性押圧体１９Ａは容器本体１１と別体に設けられた柔軟性をもつ弾性押圧体からなり、容器本体１１内上方のバッファ空間１１ａを埋めて、カード包装容器１０を搬送する際のカード５０の振動を吸収するものである。
【０１０９】
次に図７Ｂに示すように、ホルダ２０内にカード包装容器１０を収納し、カード包装容器１０の第１開口１２を覆う上蓋１３とサイドフラップ１４を開く。その後、容器本体１１内から弾性押圧体１９Ａが取り出される。
【０１１０】
次に図７Ｃに示すように、ホルダ２０の取付フランジ２３上に、上蓋１３とサイドフラップ１４を拡げる。
【０１１１】
次に図１１に示すように、カード包装容器１０が収納されたホルダ２０を、アダプタ３０に装着する。この場合、ホルダ２０の取付フランジ２３をアダプタ３０の側方係合部３３に係合させ、取付フランジ２３をアダプタ３０上で前方係合部３２まで摺動させ、取付フランジ２３を側方係合部３３と前方係合部３２に係合させることにより、ホルダ２０がアダプタ３０に装着される。
【０１１２】
このようにしてカード包装容器１０とホルダ２０とアダプタ３０とからなるカード供給システム１が得られる。このようにして得られたカード供給システム１はカード包装容器１０の第１開口１２およびホルダ２０の第２開口２２を下向きにしてカードプリンタ５１のカード挿入部５２に装着され、カード供給システム１は係止突起３５によりカード挿入部５２に堅固に固定される。
【０１１３】
＜本発明の変形例＞
次に図２１乃至図２３により本発明の変形例について述べる。
【０１１４】
上記各実施の形態において、ホルダ２０が窓２１ａを有するホルダ本体２１と、ホルダ本体２１の第２開口２２周縁に設けられた取付フランジ２３とを有する例を示したが、ホルダ２０のホルダ本体２１は窓２１ａを有しないものであって、４側面および底面のすべてが密閉された構造を有していてもよい（図２１参照）。
【０１１５】
またホルダ２０は４角状の枠体からなるホルダ本体２１と、ホルダ本体２１の第２開口２２周縁に設けられた取付フランジ２３とを有するものであってもよい（図２２参照）。図２２において、ホルダ本体２１は上下方向長さが短くなっており、その底面は開口している。
【０１１６】
あるいはホルダ２０は４本の脚部２５と、４本の脚部２５下端を連結する連結体２６とを有するホルダ本体２１と、ホルダ本体２１の第２開口２２周縁に設けられた取付フランジ２３とを有する構造をもっていてもよい（図２３参照）。
【符号の説明】
【０１１７】
１  カード供給システム
１０  カード包装容器
１１  容器本体
１１Ａ  表示部
１１ａ  バッファ空間
１２  第１開口
１３  上蓋
１３ａ  スリット
１４  サイドフラップ
１５  糊代部
１６  弾性押圧フラップ
１７  前面フラップ
１８  固着テープ
１９  弾性押圧ブロック
１９Ａ  弾性押圧体
２０  ホルダ
２１  ホルダ本体
２１ａ  窓
２２  第２開口
２３  取付フランジ
３０  アダプタ
３２  前方係合部
３３  側方係合部
３４  ストッパ
３５  係止突起
５０  カード
５０Ａ  錘
５１  カードプリンタ
５２  カード挿入部
【図１Ａ】
2018077781.tif 000003
【図１Ｂ】
2018077781.tif 000004
【図１Ｃ】
2018077781.tif 000005
【図１Ｄ】
2018077781.tif 000006
【図２Ａ】
2018077781.tif 000007
【図２Ｂ】
2018077781.tif 000008
【図２Ｃ】
2018077781.tif 000009
【図２Ｄ】
2018077781.tif 000010
【図３Ａ】
2018077781.tif 000011
【図３Ｂ】
2018077781.tif 000012
【図３Ｃ】
2018077781.tif 000013
【図３Ｄ】
2018077781.tif 000014
【図４Ａ】
2018077781.tif 000015
【図４Ｂ】
2018077781.tif 000016
【図４Ｃ】
2018077781.tif 000017
【図４Ｄ】
2018077781.tif 000018
【図５Ａ】
2018077781.tif 000019
【図５Ｂ】
2018077781.tif 000020
【図５Ｃ】
2018077781.tif 000021
【図５Ｄ】
2018077781.tif 000022
【図６Ａ】
2018077781.tif 000023
【図６Ｂ】
2018077781.tif 000024
【図６Ｃ】
2018077781.tif 000025
【図６Ｄ】
2018077781.tif 000026
【図７Ａ】
2018077781.tif 000027
【図７Ｂ】
2018077781.tif 000028
【図７Ｃ】
2018077781.tif 000029
【図８】
2018077781.tif 000030
【図９】
2018077781.tif 000031
【図１０Ａ】
2018077781.tif 000032
【図１０Ｂ】
2018077781.tif 000033
【図１１】
2018077781.tif 000034
【図１２】
2018077781.tif 000035
【図１３】
2018077781.tif 000036
【図１４】
2018077781.tif 000037
【図１５Ａ】
2018077781.tif 000038
【図１５Ｂ】
2018077781.tif 000039
【図１６Ａ】
2018077781.tif 000040
【図１６Ｂ】
2018077781.tif 000041
【図１７Ａ】
2018077781.tif 000042
【図１７Ｂ】
2018077781.tif 000043
【図１８Ａ】
2018077781.tif 000044
【図１８Ｂ】
2018077781.tif 000045
【図１９Ａ】
2018077781.tif 000046
【図１９Ｂ】
2018077781.tif 000047
【図２０】
2018077781.tif 000048
【図２１】
2018077781.tif 000049
【図２２】
2018077781.tif 000050
【図２３】
2018077781.tif 000051
【図２４】
2018077781.tif 000052